(57)【要約】【課題】在宅時における不本意な宅外からの宅内モニタリングを防ぐことができる宅内モニタリング装置を提供する。【解決手段】宅内システム１ｉに、宅内ネットワーク１ｂと、撮像した画像を宅内ネットワーク１ｂに送信可能な静止画送信子機１ａと、宅外からの設定変更を不可能とする在宅又は不在モード設定部１ｄを備え、静止画送信子機１ａの管理と制御データの送受信を行なうとともに、在宅又は不在モード設定部１ｄにより設定されたモードが不在モードである時には指定の静止画送信子機の静止画データをプロバイダーサーバー１ｆに送信する静止画送信ゲートウェイ１ｃとを備える。【選択図】　　図１
2004128801.tif 000002
【特許請求の範囲】
【請求項１】
宅内ネットワークと、撮像した画像を前記宅内ネットワークに送信可能な画像送信子機と、宅外からの設定変更を不可能とする在宅又は不在モード設定部を備え、前記画像送信子機の管理と制御データの送受信を行なうとともに、前記在宅又は不在モード設定部により設定されたモードが不在モードである時には指定の画像送信子機の画像データを宅外サーバーに送信する画像送信ゲートウェイとを備えていることを特徴とする宅内モニタリング装置。
【請求項２】
宅内ネットワークと、撮像した画像を前記宅内ネットワークに送信可能な画像送信子機と、宅外からの設定変更を不可能とする画像送信子機別在宅又は不在モード設定部を備え、前記画像送信子機の管理と制御データの送受信を行なうとともに、前記画像送信子機別在宅又は不在モード設定部により設定されたモードが不在モードである時には指定の静止画像送信子機の画像データを宅外サーバーに送信する画像送信ゲートウェイとを備えていることを特徴とする宅内モニタリング装置。
【請求項３】
宅内ネットワークと、宅外からの設定変更を不可能とする在宅又は不在モード設定部を備え、前記在宅又は不在モード設定部により設定されたモードが不在モードである時には撮像した画像を前記宅内ネットワークに送信可能な画像送信子機と、前記画像送信子機の管理と制御データの送受信を行なうとともに、指定の画像送信子機の画像データを宅外サーバーに送信する画像送信ゲートウェイとを備えていることを特徴とする宅内モニタリング装置。
【請求項４】
前記在宅又は不在モード設定部と合わせて、在宅モード時に送信する在宅モードに設定されていることを表す画像を蓄積する代替え画像蓄積部を備えたことを特徴とする請求項１乃至請求項３のいずれかに記載の宅内モニタリング装置。
【請求項５】
前記在宅又は不在モード設定部と合わせて、在宅又は不在モードテーブルの更新を行なう在宅又は不在モードテーブル更新部を備え、前記在宅又は不在モードテーブル更新部で更新した在宅又は不在モードテーブルを前記宅外サーバーに転送するようにしたことを特徴とする請求項１乃至請求項３のいずれかに記載の宅内モニタリング装置。
【請求項６】
在宅モード時に送信する在宅モードに設定されていることを表す画像を蓄積する代替え画像蓄積部を前記宅外サーバーに備えたことを特徴とする請求項５記載の宅内モニタリング装置。
【請求項７】
前記在宅又は不在モード設定部と合わせて、宅内に向けて機器の動作状態を通知可能な、宅内向け動作状態通知部を備えたことを特徴とする請求項１乃至請求項３のいずれかに記載の宅内モニタリング装置。
【請求項８】
前記在宅又は不在モード設定部と合わせて、電子メール送信部を備えたことを特徴とする請求項１乃至請求項３のいずれかに記載の宅内モニタリング装置。
【請求項９】
前記在宅又は不在モード設定部と合わせて、在宅又は不在モードの切替え時に個人認証を行なうための個人認証部を備えたことを特徴とする請求項１乃至請求項３のいずれかに記載の宅内モニタリング装置。
【請求項１０】
前記在宅又は不在モード設定部と合わせて、一定時間経過後に在宅又は不在モードの切替えを自動的に行なうための定時間モード切替え設定部を備えたことを特徴とする請求項１乃至請求項３のいずれかに記載の宅内モニタリング装置。
【請求項１１】
前記在宅又は不在モード設定部と合わせて、一定周期で在宅又は不在モードの切替えを自動的に行なうための定周期モード切替え設定部を備えたことを特徴とする請求項１乃至請求項３のいずれかに記載の宅内モニタリング装置。
【請求項１２】
前記在宅又は不在モード設定部と合わせて、在宅モード又は不在モード時に送信する画像の画質設定を行なう在宅又は不在モード画質設定部を備え、さらに画質の可変が可能な画像送信子機を備えたことを特徴とする請求項１乃至請求項３のいずれかに記載の宅内モニタリング装置。
【発明の詳細な説明】
【０００１】
【発明の属する技術分野】
本発明は、在宅時における不本意な宅外からの宅内モニタリングを防ぐ宅内モニタリング装置に関する。
【０００２】
【従来の技術】
従来、１台以上のセンサ端末と、家庭内サーバーと、インターネット網と、インターネットプロバイダーのウェブサーバーと、携帯型情報通信端末とから構成される宅内モニタリングシステムが知られている（例えば、特許文献１参照）。
【０００３】
【特許文献１】
特開２００１―１７５９７５号公報
【０００４】
図３３において従来宅内モニタリングシステムは、センサ端末３３ａから送信されたセンサ情報は、家庭内サーバー３３ｂに蓄積されるとともに、インターネット網３３ｃを経由してインターネットプロバイダーのウエブサーバー３３ｄ上に割り当てられたデータスペースにデータをアップロードする。情報要求者が情報を要求する場合には、所持する携帯電話端末やＰＤＡといった携帯型情報通信端末３３ｅからインターネット接続し、情報要求者毎に定められたアドレスにアクセスして、各センサの情報を表示させ閲覧することを可能にしている。
【０００５】
【発明が解決しようとする課題】
しかしながら、上記従来の宅内モニタリングシステムにおいては、家庭内に在宅しているにも関わらず宅外からのセンサ情報閲覧が可能であり、例えば宅外情報通信端末を第３者に使用された場合に、在宅中の様子をセンサ情報として盗まれる可能性があるといった問題があった。
【０００６】
本発明は、上記従来の問題を解決するためになされたもので、在宅時における不本意な宅外からの宅内モニタリングを防ぐことができる宅内モニタリング装置を提供することを目的とする。
【０００７】
【課題を解決するための手段】
本発明の宅内モニタリング装置は、宅内ネットワークと、撮像した画像を前記宅内ネットワークに送信可能な画像送信子機と、宅外からの設定変更を不可能とする在宅又は不在モード設定部を備え、前記画像送信子機の管理と制御データの送受信を行なうとともに、前記在宅又は不在モード設定部により設定されたモードが不在モードである時には指定の画像送信子機の画像データを宅外サーバーに送信する画像送信ゲートウェイとを備える構成を有している。
【０００８】
この構成により、在宅時における不本意な宅外からの宅内モニタリングを防ぐことができる。
【０００９】
また、本発明の宅内モニタリング装置は、宅内ネットワークと、撮像した画像を前記宅内ネットワークに送信可能な画像送信子機と、宅外からの設定変更を不可能とする画像送信子機別在宅又は不在モード設定部を備え、前記画像送信子機の管理と制御データの送受信を行なうとともに、前記画像送信子機別在宅又は不在モード設定部により設定されたモードが不在モードである時には指定の静止画像送信子機の画像データを宅外サーバーに送信する画像送信ゲートウェイとを備える構成を有している。
【００１０】
この構成により、在宅時における不本意な宅外からの宅内モニタリングを画像送信ゲートウェイにおいて画像送信子機別に設定して防ぐことができる。
【００１１】
また、本発明の宅内モニタリング装置は、宅内ネットワークと、宅外からの設定変更を不可能とする在宅又は不在モード設定部を備え、前記在宅又は不在モード設定部により設定されたモードが不在モードである時には撮像した画像を前記宅内ネットワークに送信可能な画像送信子機と、前記画像送信子機の管理と制御データの送受信を行なうとともに、指定の画像送信子機の画像データを宅外サーバーに送信する画像送信ゲートウェイとを備える構成を有している。
【００１２】
この構成により、在宅時における不本意な宅外からの宅内モニタリングを画像送信子機において画像送信子機別に設定して防ぐことができる。
【００１３】
また、本発明の宅内モニタリング装置は、在宅又は不在モード設定部と合わせて、在宅モード時に送信する在宅モードに設定されていることを表す画像を蓄積する代替え画像蓄積部を備える構成を有している。
【００１４】
この構成により、宅外端末へ在宅モードであることを通知することができる。
【００１５】
また、本発明の宅内モニタリング装置は、前記在宅又は不在モード設定部と合わせて、在宅又は不在モードテーブルの更新を行なう在宅又は不在モードテーブル更新部を備え、前記在宅又は不在モードテーブル更新部で更新した在宅又は不在モードテーブルを前記宅外サーバーに転送する構成を有している。
【００１６】
この構成により、現在の在宅又は不在モード設定の状況を宅外端末より宅外サーバーへのアクセスのみで、迅速に確認することができる。
【００１７】
また、本発明の宅内モニタリング装置は、在宅モード時に送信する在宅モードに設定されていることを表す画像を蓄積する代替え画像蓄積部を前記宅外サーバーに備える構成を有している。
【００１８】
この構成により、在宅モード時に宅内の画像送信要求に対して、迅速に代替え画像を宅外端末に送信することができる。
【００１９】
また、本発明の宅内モニタリング装置は、在宅又は不在モード設定部と合わせて、在宅者に向けて機器の動作状態を通知可能な、在宅者向け動作状態通知部を備える構成を有している。
【００２０】
この構成により、在宅者は不在モードのままであることに気がつくことができるため、在宅モードへの切替えを忘れたことによる不本意な宅外からの宅内モニタリングを防ぐことができる。
【００２１】
また、本発明の宅内モニタリング装置は、在宅又は不在モード設定部と合わせて、電子メール送信部を備える構成を有している。
【００２２】
この構成により、事前に登録された携帯電話端末等のメールアドレスの持ち主に電子メールを送信し、在宅モードへの切替えを忘れたことによる不本意な宅外からの宅内モニタリングを防ぐことができる。
【００２３】
また、本発明の宅内モニタリング装置は、在宅又は不在モード設定部と合わせて、在宅又は不在モードの切替え時に個人認証を行なうための個人認証部を備える構成を有している。
【００２４】
この構成により、不在モードに設定されることによる不本意な宅外からの宅内モニタリングを防ぐことができる。
【００２５】
また、本発明の宅内モニタリング装置は、在宅又は不在モード設定部と合わせて、一定時間経過後に在宅又は不在モードの切替えを自動的に行なうための定時間モード切替え設定部を備える構成を有している。
【００２６】
この構成により、例えば５時間家を不在にする場合などにおいて帰宅後に在宅モードに戻す必要がなく、在宅モードへの戻し忘れによる不本意な宅外からの宅内モニタリングを防ぐことができる。
【００２７】
また、本発明の宅内モニタリング装置は、在宅又は不在モード設定部と合わせて、一定周期で在宅又は不在モードの切替えを自動的に行なうための定周期モード切替え設定部を備える構成を有している。
【００２８】
この構成により、例えば昼間の不在中は不在モードで、夜間の在宅中は在宅モードで使用したい場合において、わざわざ在宅又は不在モードの切替えを行なう必要がなく、在宅モードへの戻し忘れによる不本意な宅外からの宅内モニタリングを防ぐことができる。
【００２９】
また、本発明の宅内モニタリング装置は、前記在宅又は不在モード設定部と合わせて、在宅モード又は不在モード時に送信する画像の画質設定を行なう在宅又は不在モード画質設定部を備え、さらに画質の可変が可能な画像送信子機を備える構成を有している。
【００３０】
この構成により、在宅モード又は不在モードそれぞれにおいて、使用者が許す範囲で画質を鮮明又は不鮮明にできることにより、在宅モード時に宅外からの宅内モニタリングを行なっても不鮮明な画像しか得ることができず、また、在宅時における不本意な宅外からの宅内モニタリングに対しても画質を落とすことでプライバシーを守ることができる。
【００３１】
【発明の実施の形態】
以下、本発明の実施の形態について、図面を用いて説明する。なお、各図において同一機能のものについては同一記号を付している。
【００３２】
（第１の実施の形態）
図１は本発明の第１の実施の形態に係る宅内モニタリングシステムの構成を示すブロック図である。図１において本発明の第１の実施の形態に係る宅内モニタリングシステムは、１台以上の静止画送信子機１ａ、宅内ネット１ｂ、及び、在宅又は不在モード設定部（以下では、在宅／不在モード設定部と略記する）１ｄを備えた静止画送信ゲートウェイ（ＧＷ）１ｃを有する宅内システム１ｉと、常時接続網１ｅと、プロバイダーサーバー１ｆと、ネットワーク１ｇと、宅外端末１ｈとから構成されている。
【００３３】
図２は図１における静止画送信子機１ａの構成の一例を示すブロック図である。図２において静止画送信子機１ａは、撮像素子２ａと、静止画データ化部２ｂと、制御部２ｃと、宅内ネットＩ／Ｆ部２ｄとで構成されている。
【００３４】
図３は図１における静止画送信ゲートウェイ（ＧＷ）１ｃの構成の一例を示すブロック図である。図３において静止画送信ゲートウェイ（ＧＷ）１ｃは、在宅／不在モード設定部１ｄと、宅内ネットＩ／Ｆ部３ａと、静止画データ伝送専用線３ｂと、制御部３ｃと、常時接続Ｉ／Ｆ部３ｄとで構成されている。
【００３５】
図４は図３における制御部３ｃに静止画送信子機１ａの静止画データ要求が届いた時の動作フローを示すものである。図４において制御部３ｃは、静止画送信子機１ａの静止画データ要求が届くと、動作モードチェック処理４ａ、動作モード比較処理４ｂ、指定の静止画送信子機への静止画要求処理４ｃ、および、指定の静止画送信子機からの静止画の常時接続網への送信処理４ｄの各処理を実行する。
【００３６】
以上のように構成された本発明の第１の実施の形態に係る宅内モニタリングシステムの動作について、図１〜図４を参照しながら説明する。
【００３７】
宅外端末１ｈからプロバイダーサーバー１ｆの契約ＵＲＬ（Ｕｎｉｆｏｒｍ　ＲｅｓｏｕｒｃｅＬｏｃａｔｏｒ）にアクセスをすると、プロバイダーサーバー１ｆは常時接続網１ｅを通して宅内システム１ｉに宅内静止画データの送信を要求する。
【００３８】
ここでいう宅外端末１ｈは、インターネットブラウザ機能付きの携帯電話端末やＰＤＡ（Ｐｅｒｓｏｎａｌ　Ｄｉｇｉｔａｌ　Ａｓｓｉｓｔａｎｔｓ）、デスクトップタイプやノートタイプの各種パーソナルコンピュータなどを想定している。また、ここでの常時接続網１ｅとしては、ＩＳＤＮ（Ｉｎｔｅｇｒａｔｅｄ　Ｓｅｒｖｉｃｅｓ　Ｄｉｇｉｔａｌ　Ｎｅｔｗｏｒｋ）やＡＤＳＬ（ＡｓｙｍｍｅｔｒｉｃＤｉｇｉｔａｌ　Ｓｕｂｓｃｒｉｂｅｒ　Ｌｉｎｅ）でも構わないし、ＣＡＴＶ（Ｃａｂｌｅ　Ｔｅｌｅｖｉｓｉｏｎ）やＦＴＴＨ（Ｆｉｂｅｒ　Ｔｏ　Ｔｈｅ　Ｈｏｍｅ）でも構わない。
【００３９】
宅内システム１ｉに常時接続網１ｅを通してプロバイダーサーバー１ｆから静止画送信子機１ａの静止画データの送信要求が届いた時の静止画送信ゲートウェイ（ＧＷ）１ｃの動作を図４のフロー図を用いて説明する。
【００４０】
静止画送信ゲートウェイ（ＧＷ）１ｃの制御部３ｃは、まず動作モードチェック処理４ａにおいて在宅／不在モード設定部１ｄによって設定されている動作モードをチェックする。
【００４１】
ここでいう在宅／不在モード設定部１ｄとしては、プッシュスイッチ等の機械的なスイッチ（ＳＷ）や、ＧＵＩ（Ｇｒａｐｈｉｃａｌ　Ｕｓｅｒ　Ｉｎｔｅｒｆａｃｅ）によるスイッチを想定している。また、在宅／不在モード設定部１ｄは宅外からの設定変更は不可能であるようにされている。
【００４２】
次に、チェックした動作モードを動作モード比較処理４ｂにおいて比較する。動作モードが不在モードである場合は、指定の静止画送信子機への静止画要求処理４ｃにおいて宅内ネットＩ／Ｆ部３ｃを通して指定の静止画送信子機１ａに静止画データの送信を要求する。
【００４３】
なお、ここでの宅内ネット１ｂとしては、無線のＩＥＥＥ８０２．１１ｂ方式、ＰＩＡＦＳ　（ＰＨＳ　Ｉｎｔｅｒｎｅｔ　Ａｃｃｅｓｓ　Ｆｏｒｕｍ　Ｓｔａｎｄａｒｄ）方式、Ｂｌｕｅｔｏｏｔｈ方式、ＩＥＥＥ８０２．１１ａ方式、有線の電灯線方式、ＨｏｍｅＰＮＡ方式などの方式が考えられる。
【００４４】
指定の静止画送信子機１ａの制御部２ｃは、宅内ネットＩ／Ｆ部２ｄを通して静止画データ要求を受信すると、撮像素子２ａの画像を静止画データ化部２ｂで静止画データ化し、宅内ネットＩ／Ｆ部２ｃより宅内ネット１ｂを通して在宅／不在モード設定部１ｄを備えた静止画送信ゲートウェイ（ＧＷ）１ｃに送信する。
【００４５】
ここでの静止画データの方式は、宅外端末１ｈにおいて閲覧可能であれば、ＪＰＥＧ方式でもかまわないし、ＢＭＰ方式でもかまわない。
【００４６】
また、ここでは静止画データ化を静止画データ化部２ｂにおいて行なっているが、制御部２ｃの静止画データ化処理においてこれを行なってもかまわない。
【００４７】
静止画送信ゲートウェイ（ＧＷ）１ｃの制御部３ｃは、指定の静止画送信子機からの静止画の常時接続網への送信処理４ｄによって静止画データが宅内ネットＩ／Ｆ部３ａから常時接続Ｉ／Ｆ部３ｄに送信されるように制御を行なう。
【００４８】
なお、図３では静止画データの送信経路として専用線３ｂとしたが、制御部３ｃを通って送信されてもかまわない。
【００４９】
静止画送信ゲートウェイ（ＧＷ）１ｃから送信された静止画データは、常時接続網１ｅを通ってプロバイダーサーバー１ｆの個人領域に蓄積すると同時に、宅外端末１ｈに送信する。宅外端末１ｈでは、静止画送信ゲートウェイ（ＧＷ）１ｃから送信された静止画データが表示される。
【００５０】
以上のように本発明の第１の実施の形態によれば、宅内ネットワークと、撮像した画像を前記宅内ネットワークに送信可能な画像送信子機と、宅外からの設定変更を不可能とする在宅又は不在モード設定部を備え、前記画像送信子機の管理と制御データの送受信を行なうとともに、前記在宅又は不在モード設定部により設定されたモードが不在モードである時には指定の画像送信子機の画像データを宅外サーバーに送信する画像送信ゲートウェイとを備えることにより、在宅時における不本意な宅外からの宅内モニタリングを防ぐことができる。
【００５１】
（第２の実施の形態）
図５は、本発明の第２の実施の形態に係る宅内モニタリングシステムの構成を示すブロック図である。なお、図１と同一機能部分には同一記号を付してある。
【００５２】
図５において本発明の第２の実施の形態に係る宅内モニタリングシステムは、１台以上の静止画送信子機１ａ、宅内ネット１ｂ、及び、静止画送信子機別在宅又は不在モード設定部（以下では、静止画送信子機別在宅／不在モード設定部と略記する）５ｂを備えた静止画送信ゲートウェイ（ＧＷ）５ａを有する宅内システム５ｃと、常時接続網１ｅと、プロバイダーサーバー１ｆと、ネットワーク１ｇと、宅外端末１ｈとから構成されている。
【００５３】
図６は図５における静止画送信ゲートウェイ（ＧＷ）５ａの構成の一例を示すブロック図である。なお、図３、図５と同一機能部分には同一記号を付してある。
【００５４】
図６において静止画送信ゲートウェイ（ＧＷ）５ａは、静止画送信子機別在宅／不在モード設定部５ｂと、宅内ネットＩ／Ｆ部３ａと、静止画データ伝送専用線３ｂと、制御部６ａと、常時接続Ｉ／Ｆ部３ｄとで構成されている。
【００５５】
図７は図６における制御部６ａに静止画送信子機１ａの静止画データ要求が届いた時の動作フローを示すものである。なお、図４と同一機能部分には同一記号を付してある。
【００５６】
図７において制御部６ａは、静止画送信子機１ａの静止画データ要求が届くと、指定の静止画送信子機の動作モードチェック処理７ａ、動作モード比較処理４ｂ、指定の静止画送信子機への静止画要求処理４ｃ、および、指定の静止画送信子機からの静止画の常時接続網への送信処理４ｄの各処理を実行する。
【００５７】
以上のように構成された本発明の第２の実施の形態に係る宅内モニタリングシステムの動作について、第１の実施の形態と異なる部分についてのみ図５〜図７を参照しながら説明する。
【００５８】
宅内システム５ｃに常時接続網１ｅを通してプロバイダーサーバー１ｆから静止画送信子機１ａの静止画データの送信要求が届くと、静止画送信ゲートウェイ（ＧＷ）５ａの制御部６ａは、まず指定の静止画送信子機の動作モードチェック処理７ａにおいて静止画送信子機別在宅／不在モード設定部５ｂによって設定されている指定の静止画送信子機の動作モードをチェックする。
【００５９】
ここでいう静止画送信子機別在宅／不在モード設定部５ｂとしては、プッシュスイッチ等の機械的なスイッチ（ＳＷ）や、ＧＵＩによるスイッチを想定している。ただし、静止画送信子機１ａの設置台数Ｎ台分を個別に設定できる必要がある。また、静止画送信子機別在宅／不在モード設定部５ｂは宅外からの設定変更は不可能であるようにされている。
【００６０】
次に、チェックした指定の静止画送信子機の動作モードを動作モード比較処理４ｂにおいて比較する。動作モードが不在モードである場合は、指定の静止画送信子機への静止画要求処理４ｃにおいて宅内ネットＩ／Ｆ部３ｃを通して指定の静止画送信子機１ａに静止画データの送信を要求する。
【００６１】
以上のように本発明の第２の実施の形態によれば、宅内ネットワークと、撮像した画像を前記宅内ネットワークに送信可能な画像送信子機と、宅外からの設定変更を不可能とする画像送信子機別在宅又は不在モード設定部を備え、前記画像送信子機の管理と制御データの送受信を行なうとともに、前記画像送信子機別在宅又は不在モード設定部により設定されたモードが不在モードである時には指定の静止画像送信子機の画像データを宅外サーバーに送信する画像送信ゲートウェイとを備えることにより、在宅時における不本意な宅外からの宅内モニタリングを画像送信子機別に設定して防ぐことができる。
【００６２】
（第３の実施の形態）
図８は、本発明の第３の実施の形態に係る宅内モニタリングシステムの構成を示すブロック図である。なお、図１と同一機能部分には同一記号を付してある。
【００６３】
図８において本発明の第３の実施の形態に係る宅内モニタリングシステムは、在宅又は不在モード設定部（以下では、在宅／不在モード設定部と略記する）８ｂを備えた１台以上の静止画送信子機８ａ、宅内ネット１ｂ、及び、静止画送信ゲートウェイ（ＧＷ）８ｃを有する宅内システム８ｄと、常時接続網１ｅと、プロバイダーサーバー１ｆと、ネットワーク１ｇと、宅外端末１ｈとから構成されている。
【００６４】
ここで、静止画送信ゲートウェイ（ＧＷ）８ｃは、第１の実施形態で説明した在宅／不在モード設定部１ｄを備えた静止画送信ゲートウェイ（ＧＷ）１ｃであっても構わないし、第２の実施形態で説明した静止画送信子機別在宅／不在モード設定部６ｂを備えた静止画送信ゲートウェイ（ＧＷ）６ａであっても構わない。
【００６５】
また、宅内システム８ｄは在宅／不在モード設定部８ｂを備えた静止画送信子機８ａのみを備えた構成としているが、第１の実施形態で説明した静止画送信子機１ａとの混在したシステムでも構わない。
【００６６】
図９は図８における静止画送信子機８ａの構成の一例を示すブロック図である。なお、図２、図８と同一機能部分には同一記号を付してある。
【００６７】
図９において静止画送信子機８ａは、撮像素子２ａと、静止画データ化部２ｂと、制御部９ａと、在宅／不在モード設定部８ｂと、宅内ネットＩ／Ｆ部２ｄとで構成されている。
【００６８】
図１０は図８における静止画送信ゲートウェイ（ＧＷ）８ｃの構成の一例を示すブロック図である。なお、図３と同一機能部分には同一記号を付してある。
【００６９】
図１０において静止画送信ゲートウェイ（ＧＷ）８ｃは、宅内ネットＩ／Ｆ部３ａと、静止画データ伝送専用線３ｂと、制御部１０ａと、常時接続Ｉ／Ｆ部３ｄとで構成されている。
【００７０】
図１１は図９における制御部９ａに撮像素子２ａの静止画データ要求が届いた時の動作フローを示すものである。なお、図４と同一機能部分には同一記号を付してある。
【００７１】
図１１において制御部９ａは、撮像素子２ａの静止画データ要求が届くと、動作モードチェック処理４ａ、動作モード比較処理４ｂ、および、撮像素子の静止画データの宅内ネットへの送信処理１１ａの各処理を実行する。
【００７２】
以上のように構成された本発明の第３の実施の形態に係る宅内モニタリングシステムの動作について、第１の実施の形態と異なる部分についてのみ図８〜図１１を参照しながら説明する。
【００７３】
宅内システム８ｄに常時接続網１ｅを通してプロバイダーサーバー１ｆから静止画送信子機８ａの静止画データの送信要求を、静止画送信ゲートウェイ（ＧＷ）８ｃの制御部１０ａが受信すると、宅内ネットＩ／Ｆ部３ａを通して指定の静止画送信子機８ａに静止画データの送信を要求する。
【００７４】
宅内ネット１ｂを通して静止画送信ゲートウェイ（ＧＷ）８ｃから静止画データの送信要求が届いた時の、静止画送信子機８ａの制御部９ａの動作を図１１のフロー図を用いて説明する。
【００７５】
静止画送信子機８ａの制御部９ａは、まず動作モードチェック処理４ａにおいて在宅／不在モード設定部８ｂによって設定されている動作モードをチェックする。
【００７６】
ここでいう在宅／不在モード設定部８ｂとしては、プッシュスイッチ等の機械的なスイッチ（ＳＷ）や、ＧＵＩによるスイッチを想定している。また、在宅／不在モード設定部８ｂは宅外からの設定変更は不可能であるようにされている。
【００７７】
次に、チェックした動作モードを動作モード比較処理４ｂにおいて比較する。動作モードが不在モードである場合は、撮像素子の静止画データの宅内ネットへの送信処理１１ａにおいて撮像素子２ａの画像を静止画データ化部２ｂで静止画データ化し、宅内ネットＩ／Ｆ部２ｄより静止画送信ゲートウェイ（ＧＷ）８ｃに送信する。
【００７８】
静止画送信ゲートウェイ（ＧＷ）８ｃの制御部１０ａは、受信した静止画が宅内ネットＩ／Ｆ部３ａから常時接続Ｉ／Ｆ部３ｄに送信されるように制御を行なう。
【００７９】
以上のように本発明の第３の実施の形態によれば、宅内ネットワークと、宅外からの設定変更を不可能とする在宅又は不在モード設定部を備え、前記在宅又は不在モード設定部により設定されたモードが不在モードである時には撮像した画像を前記宅内ネットワークに送信可能な画像送信子機と、前記画像送信子機の管理と制御データの送受信を行なうとともに、指定の画像送信子機の画像データを宅外サーバーに送信する画像送信ゲートウェイとを備えることにより、在宅時における不本意な宅外からの宅内モニタリングを画像送信子機において画像送信子機別に設定して防ぐことができる。
【００８０】
（第４の実施の形態）
図１２は、本発明の第４の実施の形態に係る宅内モニタリングシステムの構成を示すブロック図である。なお、図１と同一機能部分には同一記号を付してある。
【００８１】
図１２において本発明の第４の実施の形態に係る宅内モニタリングシステムは、在宅又は不在モード設定部（以下では、在宅／不在モード設定部と略記する）１ｄ及び代替え画像蓄積部１２ｂを備えた静止画送信ゲートウェイ（ＧＷ）１２ａと、１台以上の静止画送信子機１ａと、宅内ネット１ｂとからなる宅内システム１２ｃと、常時接続網１ｅと、プロバイダーサーバー１ｆと、ネットワーク１ｇと、宅外端末１ｈとから構成されている。
【００８２】
図１３は、図１２における静止画送信ゲートウェイ（ＧＷ）１２ａの構成の一例を示すブロック図である。なお、図１と同一機能部分には同一記号を付してある。
【００８３】
図１３において静止画送信ゲートウェイ（ＧＷ）１２ａは、在宅／不在モード設定部１ｄと、宅内ネットＩ／Ｆ部３ａと、静止画データ伝送専用線３ｂと、制御部１３ａと、代替え画像蓄積部１２ｂと、常時接続Ｉ／Ｆ部１３ｂとで構成されている。
【００８４】
図１４は、図１３における制御部１３ａに静止画送信子機１ａの静止画データ要求が届いた時の制御部１３ａの動作フローを示すものである。なお、図４と同一機能部分には同一記号を付してある。
【００８５】
図１４において制御部１３ａは、静止画送信子機１ａの静止画データ要求が届くと、動作モードチェック処理４ａ、動作モード比較処理４ｂ、指定の静止画送信子機への静止画要求処理４ｃ、代替え画像の常時接続網への送信処理１４ａ、および、指定の静止画送信子機からの静止画の常時接続網への送信処理４ｄの各処理を実行する。
【００８６】
図１５は、図１２における代替え画像蓄積部１２ｂに蓄積されている代替え画像イメージ１５ａの例を示すものである。図１５においては、「現在、在宅モードに設定されています。」という画像データが代替え画像蓄積部１２ｂに蓄積されるようにしている。
【００８７】
以上のように構成された本発明の第４の実施の形態に係る宅内モニタリングシステムの動作について、第１の実施の形態と異なる部分についてのみ図１２〜図１５を参照しながら説明する。
【００８８】
宅内システム１２ｃに常時接続網１ｅを通してプロバイダーサーバー１ｆから静止画送信子機１ａの静止画データの送信要求が届くと、静止画送信ゲートウェイ（ＧＷ）１２ａの制御部１３ａは、動作モードチェック処理４ａにおいて在宅／不在モード設定部１ｄによって設定されている動作モードをチェックする。
【００８９】
チェックした動作モードを動作モード比較処理４ｂで比較し、動作モードが在宅モードである場合は、代替え画像の常時接続網への送信処理１４ａにおいて、代替え画像蓄積部１２ｂから代替え画像１５ａが常時接続Ｉ／Ｆ部１３ｂより常時接続網１ｅを通してプロバイダーサーバー１ｆに送信される。
【００９０】
ここで、代替え画像１５ａの画像イメージはあくまでも一例であるが、宅外端末１ｈにおいて閲覧可能である必要がある。
【００９１】
また、代替え画像の送信経路は、代替え画像蓄積部１２ｂから制御部１３ａを通って常時接続Ｉ／Ｆ部１３ｂに送信されてもかまわないし、代替え画像蓄積部１２ｂから常時接続Ｉ／Ｆ部１３ｂに直接送信されてもかまわない。
【００９２】
なお、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【００９３】
以上のように、本発明の第４の実施の形態によれば、在宅又は不在モード設定部と合わせて、在宅モード時に送信する在宅モードに設定されていることを表す画像を蓄積する代替え画像蓄積部を備えることにより、宅外端末へ在宅モードであることを通知することができる。
【００９４】
（第５の実施の形態）
図１６は、本発明の第５の実施の形態に係る宅内モニタリングシステムの構成を示すブロック図である。なお、図１と同一機能部分には同一記号を付してある。
【００９５】
図１６において本発明の第５の実施の形態に係る宅内モニタリングシステムは、在宅又は不在モード設定部（以下では、在宅／不在モード設定部と略記する）１ｄ、在宅又は不在モードテーブル更新部（以下では、在宅／不在モードテーブル更新部と略記する）１６ｂを備えた静止画送信ゲートウェイ（ＧＷ）１６ａと、１台以上の静止画送信子機１ａと、宅内ネット１ｂとからなる宅内システム１６ｃと、常時接続網１ｅと、在宅又は不在モードテーブル（以下では、在宅／不在モードテーブルと略記する）１６ｅを備えたプロバイダーサーバー１６ｄと、ネットワーク１ｇと、宅外端末１ｈとから構成されている。
【００９６】
以上のように構成された本発明の第５の実施の形態に係る宅内モニタリングシステムの動作について、第１の実施の形態と異なる部分についてのみ図１６を参照しながら説明する。
【００９７】
在宅／不在モード設定部１ｄを用いて、静止画送信ＧＷ１６ａの動作モードが変更されると、在宅／不在モードテーブル更新部１６ｂは常時接続網１ｅを通してプロバイダーサーバー１６ｄの在宅／不在モードテーブル１６ｅを更新する。
【００９８】
ここで、在宅／不在モードテーブル更新部としたが、在宅／不在モードテーブル更新処理であってもかまわない。
【００９９】
プロバイダーサーバー１６ｄは、在宅／不在モードテーブル１６ｅの情報を、宅外端末１ｈからインターネットブラウジング可能なようにＨＴＭＬ等を用いて加工する。
【０１００】
宅外端末１ｈからプロバイダーサーバー１６ｄの所定の契約ＵＲＬにアクセスをすると、宅外端末１ｈに在宅／不在モードテーブル１６ｅの情報が表示される。
【０１０１】
なお、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【０１０２】
以上のように、本発明の第５の実施の形態によれば、前記在宅又は不在モード設定部と合わせて、在宅又は不在モードテーブルの更新を行なう在宅又は不在モードテーブル更新部を備え、前記在宅又は不在モードテーブル更新部で更新した在宅又は不在モードテーブルを前記宅外サーバーに転送する構成を有することにより、現在の在宅又は不在モード設定の状況を宅外端末より宅外サーバーへのアクセスのみで、迅速に確認することができる。
【０１０３】
（第６の実施の形態）
図１７は、本発明の第６の実施の形態に係る宅内モニタリングシステムの構成を示すブロック図である。なお、図１、図１６と同一機能部分には同一記号を付してある。
【０１０４】
図１７において本発明の第６の実施の形態に係る宅内モニタリングシステムは、在宅又は不在モード設定部（以下では、在宅／不在モード設定部と略記する）１ｄ、在宅又は不在モードテーブル更新部（以下では、在宅／不在モードテーブル更新部と略記する）１６ｂを備えた静止画送信ゲートウェイ（ＧＷ）１６ａと、１台以上の静止画送信子機１ａと、宅内ネット１ｂとからなる宅内システム１６ｃと、常時接続網１ｅと、在宅又は不在モードテーブル（以下では、在宅／不在モードテーブルと略記する）１６ｅ、代替え画像蓄積部１７ｂを備えたプロバイダーサーバー１７ａと、ネットワーク１ｇと、宅外端末１ｈとから構成されている。
【０１０５】
以上のように構成された本発明の第６の実施の形態に係る宅内モニタリングシステムの動作について、第５の実施の形態と異なる部分についてのみ図１７を参照しながら説明する。
【０１０６】
宅外端末１ｈからプロバイダーサーバー１７ａの契約ＵＲＬにアクセスをすると、プロバイダーサーバー１７ａは在宅／不在モードテーブル１６ｅをチェックする。
【０１０７】
在宅モードである場合は、代替え画像蓄積部１７ｂの代替え画像をネットワーク１ｇを通して宅外端末１ｈに送信する。
【０１０８】
不在モードである場合は、常時接続網１ｅを通して宅内システム１６ｃに宅内静止画データの送信を要求する。
【０１０９】
以上のように、本発明の第６の実施の形態によれば、在宅モード時に送信する在宅モードに設定されていることを表す画像を蓄積する代替え画像蓄積部を前記宅外サーバーに備えることにより、在宅モード時に宅内の画像送信要求に対して、迅速に代替え画像を宅外端末に送信することができる。
【０１１０】
（第７の実施の形態）
図１８は、本発明の第７の実施の形態に係る宅内モニタリングシステムの構成を示すブロック図である。なお、図１と同一機能部分には同一記号を付してある。
【０１１１】
図１８において本発明の第７の実施の形態に係る宅内モニタリングシステムは、在宅／不在モード設定部１ｄ、在宅者向け動作状態通知部１８ｂを備えた静止画送信ゲートウェイ（ＧＷ）１８ａと、１台以上の静止画送信子機１ａと、宅内ネット１ｂとからなる宅内システム１８ｃと、常時接続網１ｅと、プロバイダーサーバー１ｆと、ネットワーク１ｇと、宅外端末１ｈとから構成されている。
【０１１２】
図１９は図１８における静止画送信ゲートウェイ（ＧＷ）１８ａの構成の一例を示すブロック図である。なお、図３、図１８と同一機能部分には同一記号を付してある。図１９において静止画送信ゲートウェイ（ＧＷ）１８ａは、在宅／不在モード設定部１ｄと、宅内ネットＩ／Ｆ部３ａと、静止画データ伝送専用線３ｂと、制御部１９ａと、在宅者向け動作状態通知部１８ｂと、常時接続Ｉ／Ｆ部３ｄとで構成されている。
【０１１３】
以上のように構成された本発明の第７の実施の形態に係る宅内モニタリングシステムの動作について、第１の実施の形態と異なる部分についてのみ図１８〜図１９を参照しながら説明する。
【０１１４】
静止画送信ゲートウェイ（ＧＷ）１８ａの制御部１９ａは、在宅／不在モード設定部１ｄで設定されている動作モードが不在モードである時、在宅者向け動作状態通知部１８ｂを通して、在宅者に対して定期的に動作モードが不在モードであることを知らせる。
【０１１５】
なお、ここでの在宅者向け動作状態通知としては、ＬＥＤの点滅やスピーカーからの電子音などを想定している。
【０１１６】
また、ここでは定期的に動作モードが不在モードである旨を知らせるとしたが、常時接続網１ｅからの宅内静止画要求が届いた時であっても構わないし、常時接続網１ｅに宅内静止画を送信する時であっても構わない。
【０１１７】
また、ここでは本発明の第１の実施の形態に係る宅内モニタリングシステムに本発明を適応した場合を例にその動作を説明したが、本発明の第１及び第２の実施の形態に係るの宅内モニタリングシステムに本発明を適用した場合も、同様の動作を行なう。
【０１１８】
以上のように、本発明の第７の実施の形態によれば、在宅／不在モード設定部と合わせて、在宅者に向けて機器の動作状態を通知可能な在宅者向け動作状態通知部を備えることにより、在宅者は不在モードのままであることに気がつくことができるため、在宅モードへの切り替えを忘れたことによる不本意な宅外からの宅内モニタリングを防ぐことができる。
【０１１９】
（第８の実施の形態）
図２０は、本発明の第８の実施の形態に係る宅内モニタリングシステムの構成を示すブロック図である。なお、図１と同一機能部分には同一記号を付してある。
【０１２０】
図２０において本発明の第８の実施の形態に係る宅内モニタリングシステムは、在宅／不在モード設定部１ｄ、電子メール（Ｍａｉｌ）送信部２０ｂを備えた静止画送信ゲートウェイ（ＧＷ）２０ａと、１台以上の静止画送信子機１ａと、宅内ネット１ｂとからなる宅内システム２０ｃと、常時接続網１ｅと、プロバイダーサーバー１ｆと、ネットワーク１ｇと、宅外端末１ｈとから構成されている。
【０１２１】
以上のように構成された本発明の第８の実施の形態に係る宅内モニタリングシステムの動作について、第１の実施の形態と異なる部分についてのみ図２０を参照しながら説明する。
【０１２２】
静止画送信ゲートウェイ（ＧＷ）２０ａは、在宅／不在モード設定部１ｄで設定されている動作モードが不在モードである時、電子Ｍａｉｌ送信部２０ｂより事前に登録されている電子Ｍａｉｌアドレス宛に定期的に動作モードが不在モードであることを知らせるための電子Ｍａｉｌを送信する。
【０１２３】
なお、ここでは定期的に動作モードが不在モードである旨を知らせるとしたが、常時接続網１ｅからの宅内静止画要求が届いた時であっても構わないし、常時接続網１ｅに宅内静止画を送信する時であっても構わない。
【０１２４】
また、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【０１２５】
以上のように、本発明の第８の実施の形態によれば、在宅／不在モード設定部と合わせて、電子メール送信部を備えることにより、事前に登録された携帯電話端末等のメールアドレスの持ち主に電子メールを送信し、在宅モードへの切り替えを忘れたことによる不本意な宅外からの宅内モニタリングを防ぐことができる。
【０１２６】
（第９の実施の形態）
図２１は、本発明の第９の実施の形態に係る宅内モニタリングシステムの構成を示すブロック図である。なお、図１と同一機能部分には同一記号を付してある。
【０１２７】
図２１において本発明の第９の実施の形態に係る宅内モニタリングシステムは、在宅／不在モード設定部１ｄ、個人認証部２１ｂを備えた静止画送信ゲートウェイ（ＧＷ）２１ａと、１台以上の静止画送信子機１ａと、宅内ネット１ｂとからなる宅内システム２１ｃと、常時接続網１ｅと、プロバイダーサーバー１ｆと、ネットワーク１ｇと、宅外端末１ｈとから構成されている。
【０１２８】
図２２は図２１における静止画送信ゲートウェイ（ＧＷ）２１ａの構成の一例を示すブロック図である。なお、図３、図２１と同一機能部分には同一記号を付してある。図２２において静止画送信ゲートウェイ（ＧＷ）２１ａは、在宅／不在モード設定部１ｄと、宅内ネットＩ／Ｆ部３ａと、静止画データ伝送専用線３ｂと、制御部２２ａと、個人認証部２１ｂと、常時接続Ｉ／Ｆ部３ｄとで構成されている。
【０１２９】
以上のように構成された本発明の第９の実施の形態に係る宅内モニタリングシステムの動作について、第１の実施の形態と異なる部分についてのみ図２１、図２２を参照しながら説明する。
【０１３０】
静止画送信ゲートウェイ（ＧＷ）２１ａの在宅／不在モードの切替えを在宅／不在モード設定部１ｄで行なう場合、まず、個人認証部２１ｂで個人認証を行い、切替えを行おうとしている人物が事前に登録されている認証情報を持つ人物であるかをチェックする。なお、ここでの認証情報としては、暗証番号やパスワードを想定している。
【０１３１】
個人認証部２１ｂで認証情報が一致した場合、制御部２２ａは在宅／不在モード設定部１ｄで設定された動作モードを有効と判断する。なお、ここでは認証情報の一致を個人認証部２１ｂで行なうとしたが、制御部２２ａの個人認証処理でこれを行なっても構わない。
【０１３２】
また、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【０１３３】
以上のように、本発明の第９の実施の形態によれば、在宅／不在モード設定部と合わせて、在宅／不在モードの切替え時に個人認証を行なうための個人認証部を備えることにより、不本意に不在モードに設定されることによる不本意な宅外からの宅内モニタリングを防ぐことができる。
【０１３４】
（第１０の実施の形態）
図２３は、本発明の第１０の実施の形態に係る宅内モニタリングシステムの構成を示すブロック図である。なお、図１と同一機能部分には同一記号を付してある。
【０１３５】
図２３において本発明の第１０の実施の形態に係る宅内モニタリングシステムは、在宅／不在モード設定部１ｄ、定時間モード切替え設定部２３ｂを備えた静止画送信ゲートウェイ（ＧＷ）２３ａと、１台以上の静止画送信子機１ａと、宅内ネット１ｂとからなる宅内システム２３ｃと、常時接続網１ｅと、プロバイダーサーバー１ｆと、ネットワーク１ｇと、宅外端末１ｈとから構成されている。
【０１３６】
図２４は図２３における静止画送信ゲートウェイ（ＧＷ）２３ａの構成の一例を示すブロック図である。なお、図３、図２３と同一機能部分には同一記号を付してある。図２４において静止画送信ゲートウェイ（ＧＷ）２３ａは、在宅／不在モード設定部１ｄと、宅内ネットＩ／Ｆ部３ａと、静止画データ伝送専用線３ｂと、制御部２４ａと、定時間モード切替え設定部２３ｂと、常時接続Ｉ／Ｆ部３ｄとで構成されている。
【０１３７】
図２５は静止画送信ゲートウェイ（ＧＷ）２３ａの在宅／不在モード設定部１ｄおよび定時間モード切替え設定部２３ｂより５時間（Ｈ）の不在モードを設定した場合の、制御部２４ａ内の動作モードの時間遷移の様子を示したものである。
【０１３８】
以上のように構成された本発明の第１０の実施の形態に係る宅内モニタリングシステムの動作について、第１の実施の形態と異なる部分についてのみ図２３〜図２５を参照しながら説明する。
【０１３９】
静止画送信ゲートウェイ（ＧＷ）２３ａの定時間モード切替え設定部２３ｂに５時間（Ｈ）を設定し、在宅／不在モード設定手段１ｄに不在モードを設定すると、図２５に示すように、静止画送信ゲートウェイ（ＧＷ）２３ａの制御部２４ａは、５時間（Ｈ）以内は不在モードで、５時間（Ｈ）以降は在宅モードで動作を行なう。
【０１４０】
なお、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【０１４１】
以上のように、本発明の第１０の実施の形態によれば、在宅／不在モード設定部と合わせて、一定時間経過後に在宅／不在モードの切替えを自動的に行なう定時間モード切替え設定部を備えることにより、例えば５時間家を不在にする場合などにおいて帰宅後に在宅モードに戻す必要がなく、在宅モードへの戻し忘れによる不本意な宅外からの宅内モニタリングを防ぐことができる。
【０１４２】
（第１１の実施の形態）
図２６は、本発明の第１１の実施の形態に係る宅内モニタリングシステムの構成を示すブロック図である。なお、図１と同一機能部分には同一記号を付してある。
【０１４３】
図２６において本発明の第１１の実施の形態に係る宅内モニタリングシステムは、在宅／不在モード設定部１ｄ、定周期モード切替え設定部２６ｂを備えた静止画送信ゲートウェイ（ＧＷ）２６ａと、１台以上の静止画送信子機１ａと、宅内ネット１ｂとからなる宅内システム２６ｃと、常時接続網１ｅと、プロバイダーサーバー１ｆと、ネットワーク１ｇと、宅外端末１ｈとから構成されている。
【０１４４】
図２７は図２６における静止画送信ゲートウェイ（ＧＷ）２６ａの構成の一例を示すブロック図である。なお、図３、図２６と同一機能部分には同一記号を付してある。図２７において静止画送信ゲートウェイ（ＧＷ）２６ａは、在宅／不在モード設定部１ｄと、宅内ネットＩ／Ｆ部３ａと、静止画データ伝送専用線３ｂと、制御部２７ａと、定周期モード切替え設定部２６ｂと、常時接続Ｉ／Ｆ部３ｄとで構成されている。
【０１４５】
図２８は静止画送信ゲートウェイ（ＧＷ）２６ａの在宅／不在モード設定部１ｄおよび定周期モード切替え設定部２６ｂより毎日ＡＭ６：００〜ＰＭ６：００を不在モードに設定した場合の、制御部２７ａ内の動作モードの時間遷移の様子を示したものである。
【０１４６】
以上のように構成された本発明の第１１の実施の形態に係る宅内モニタリングシステムの動作について、第１の実施の形態と異なる部分についてのみ図２３〜図２５を参照しながら説明する。
【０１４７】
静止画送信ゲートウェイ（ＧＷ）２６ａの定時間モード切替え設定部２６ｂに毎日ＡＭ６：００〜ＰＭ６：００を設定し、在宅／不在モード設定手段１ｄに不在モードを設定すると、図２８の例に示すように、静止画送信ゲートウェイ（ＧＷ）２６ａの制御部２７ａは、ＡＭ６：００〜ＰＭ６：００の間は不在モードで、ＰＭ６：００〜ＡＭ６：００の間は在宅モードで動作をし、毎日これを繰り返す。
【０１４８】
なお、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【０１４９】
以上のように、本発明の第１１の実施の形態によれば、在宅／不在モード設定部と合わせて、一定周期で在宅／不在モードの切替えを自動的に行なうための定周期モード切替え設定部を備えることにより、例えば昼間の不在中は不在モードで、夜間の在宅中は在宅モードで使用したい場合において、わざわざ在宅／不在モードの切替えを行なう必要がなく、在宅モードへの戻し忘れによる不本意な宅外からの宅内モニタリングを防ぐことができる。
【０１５０】
（第１２の実施の形態）
図２９は、本発明の第１２の実施の形態に係る宅内モニタリングシステムの構成を示すブロック図である。なお、図１と同一機能部分には同一記号を付してある。
【０１５１】
図２９において本発明の第１２の実施の形態に係る宅内モニタリングシステムは、在宅／不在モード設定部１ｄ、在宅／不在モード画質設定部２９ｂを備えた静止画送信ゲートウェイ（ＧＷ）２９ａと、静止画の画質可変が可能な１台以上の静止画送信子機２９ｄと、宅内ネット１ｂとからなる宅内システム２６ｃと、常時接続網１ｅと、プロバイダーサーバー１ｆと、ネットワーク１ｇと、宅外端末１ｈとから構成されている。
【０１５２】
図３０は、図２９における１台以上の静止画送信子機２９ｄの構成の一例を示すブロック図である。なお、図２と同一機能部分には同一記号を付してある。
【０１５３】
図３０において静止画送信子機２９ｄは、撮像素子２ａと、画質可変静止画データ化部３０ａと、制御部３０ｂと、宅内ネットＩ／Ｆ部２ｄとで構成されている。
【０１５４】
図３１は、図２９における静止画送信ゲートウェイ（ＧＷ）２９ａの構成の一例を示すブロック図である。なお、図１と同一機能部分には同一記号を付してある。図３１において静止画送信ゲートウェイ（ＧＷ）２９ａは、在宅／不在モード設定部１ｄと、宅内ネットＩ／Ｆ部３ａと、静止画データ伝送専用線３ｂと、制御部３１ａと、在宅／不在モード画質設定部２９ｂと、常時接続Ｉ／Ｆ部３ｄとで構成されている。
【０１５５】
図３２は図３１における制御部３１ａに静止画送信子２９ｄの静止画データ要求が届いた時の動作フローを示すものである。なお、図４と同一機能部分には同一記号を付してある。
【０１５６】
図３２において制御部３１ａは、撮像素子２ａの静止画データ要求が届くと、動作モードチェック処理４ａ、動作モード比較処理４ｂ、不在モードの画質設定チェック処理３２ａ、指定の静止画送信子機への不在モード画質での静止画要求処理３２ｂ、在宅モードでの画質設定チェック処理３２ｃ、指定の静止画送信子機への在宅モード画像での静止画要求処理３２ｄ、および、指定の静止画送信子機からの静止画の常時接続網への送信処理４ｄの各処理を実行する。
【０１５７】
以上のように構成された本発明の第１２の実施の形態に係る宅内モニタリングシステムの動作について、第１の実施の形態と異なる部分についてのみ図２９〜図３２を参照しながら説明する。
【０１５８】
宅内システム２９ｃに常時接続網１ｅを通してプロバイダーサーバー１ｆから静止画送信子機２９ｄの静止画データの送信要求が届くと、静止画送信ゲートウェイ（ＧＷ）２９ａの制御部３１ａは、動作モードチェック処理４ａにおいて在宅／不在モード設定部１ｄによって設定されている動作モードをチェックする。チェックした動作モードを動作モード比較処理４ｂで比較する。
【０１５９】
動作モードが在宅モードである場合は、在宅／不在モード画質設定部２９ｂによって設定されている在宅モードの画質設定を、在宅モードの画質設定処理３２ｃでチェックし、指定の静止画送信子機への在宅モード画質での静止画要求処理３２ｄで、宅内ネットＩ／Ｆ部３ａ、宅内ネット１ｂを通して指定の静止画送信子機２９ｄに在宅モード画質での静止画送信を要求する。
【０１６０】
同様に、動作モードが不在モードである場合は、在宅／不在モード画質設定部２９ｂによって設定されている不在モードの画質設定を、不在モードの画質設定処理３２ａでチェックし、指定の静止画送信子機への在宅モード画質での静止画要求処理３２ｂで、宅内ネットＩ／Ｆ部３ａ、宅内ネット１ｂを通して指定の静止画送信子機２９ｄに不在モード画質での静止画送信を要求する。
【０１６１】
静止画送信ＧＷ２９ａから在宅もしくは不在画質での静止画送信要求が静止画送信子機２９ａの制御部３０ｂに届くと、画質可変静止画データ化部３０ａに在宅もしくは不在画質での撮像素子２ａの画像の静止画データ化を制御する。
【０１６２】
なお、ここでの画質可変の方法としては、ＪＰＥＧにおける量子化値制御を想定しており、在宅モードでは量子化値大によるモザイク画像、不在モードでは量子化値小による鮮明画像を使用者が設定すると想定している。
【０１６３】
また、ここでは本発明の第１の実施の形態に係る宅内モニタリングシステムに本発明を適応した場合を例にその動作を説明したが、本発明の第２及び第３の実施の形態に係る宅内モニタリングシステムに本発明を適用した場合も、同様の動作を行なう。
【０１６４】
以上のように本発明の第１２の実施の形態によれば、前記在宅又は不在モード設定部と合わせて、在宅モード又は不在モード時に送信する画像の画質設定を行なう在宅又は不在モード画質設定部を備え、さらに画質の可変が可能な画像送信子機を備えることにより、在宅モード又は不在モードそれぞれにおいて、使用者が許す範囲で画質を鮮明又は不鮮明にできることにより、在宅モード時に宅外からの宅内モニタリングを行なっても不鮮明な画像しか得ることができず、また、在宅時における不本意な宅外からの宅内モニタリングに対しても画質を落とすことでプライバシーを守ることができる。
【０１６５】
なお上記において画像についてはもっぱら静止画で説明したが、動画でも良いことはもちろんである。
【０１６６】
【発明の効果】
以上のように本発明は、宅内ネットワークと、撮像した画像を前記宅内ネットワークに送信可能な画像送信子機と、宅外からの設定変更を不可能とする在宅又は不在モード設定部を備え、前記画像送信子機の管理と制御データの送受信を行なうとともに、前記在宅又は不在モード設定部により設定されたモードが不在モードである時には指定の画像送信子機の画像データを宅外サーバーに送信する画像送信ゲートウェイとを備えることにより、在宅時における不本意な宅外からの宅内モニタリングを防ぐことができるという格別の効果を有するものである。
【図面の簡単な説明】
【図１】本発明の第１の実施の形態における宅内モニタリングシステムの構成を示すブロック図
【図２】本発明の第１の実施の形態における静止画送信子機のブロック構成を示す図
【図３】本発明の第１の実施の形態における静止画送信ゲートウェイ（ＧＷ）のブロック構成を示す図
【図４】本発明の第１の実施の形態における静止画送信ゲートウェイ（ＧＷ）の制御部の処理フローを示す図
【図５】本発明の第２の実施の形態における宅内モニタリングシステムの構成を示すブロック図
【図６】本発明の第２の実施の形態における静止画送信ゲートウェイ（ＧＷ）のブロック構成を示す図
【図７】本発明の第１の実施の形態における静止画送信ゲートウェイ（ＧＷ）の制御部の処理フローを示す図
【図８】本発明の第３の実施の形態における宅内モニタリングシステムの構成を示すブロック図
【図９】本発明の第３の実施の形態における静止画送信子機のブロック図の１例
【図１０】本発明の第３の実施の形態における静止画送信ゲートウェイ（ＧＷ）のブロック構成を示す図
【図１１】本発明の第３の実施の形態における静止画送信ゲートウェイ（ＧＷ）の制御部の処理フローを示す図
【図１２】本発明の第４の実施の形態における宅内モニタリングシステムの構成を示すブロック図
【図１３】本発明の第４の実施の形態における静止画送信ゲートウェイ（ＧＷ）のブロック構成を示す図
【図１４】本発明の第４の実施の形態における静止画送信ゲートウェイ（ＧＷ）の制御部の処理フローを示す図
【図１５】本発明の第４の実施の形態における代替え画像イメージを示す図
【図１６】本発明の第５の実施の形態における宅内モニタリングシステムの構成を示すブロック図
【図１７】本発明の第６の実施の形態における宅内モニタリングシステムの構成を示すブロック図
【図１８】本発明の第７の実施の形態における宅内モニタリングシステムの構成を示すブロック図
【図１９】本発明の第７の実施の形態における静止画送信ゲートウェイ（ＧＷ）のブロック構成を示す図
【図２０】本発明の第８の実施の形態における宅内モニタリングシステムの構成を示すブロック図
【図２１】本発明の第９の実施の形態における宅内モニタリングシステムの構成を示すブロック図
【図２２】本発明の第９の実施の形態における静止画送信ゲートウェイ（ＧＷ）のブロック構成を示す図
【図２３】本発明の第１０の実施の形態における宅内モニタリングシステムの構成を示すブロック図
【図２４】本発明の第１０の実施の形態における静止画送信ゲートウェイ（ＧＷ）のブロック構成を示す図
【図２５】本発明の第１０の実施の形態における静止画送信ゲートウェイ（ＧＷ）の制御部内の設定モード時間遷移を示す図
【図２６】本発明の第１１の実施の形態における宅内モニタリングシステムの構成を示すブロック図
【図２７】本発明の第１１の実施の形態における静止画送信ゲートウェイ（ＧＷ）のブロック構成を示す図
【図２８】本発明の第１１の実施の形態における静止画送信ゲートウェイ（ＧＷ）の制御部内の設定モード時間遷移を示す図
【図２９】本発明の第１２の実施の形態における宅内モニタリングシステムの構成を示すブロック図
【図３０】本発明の第１２の実施の形態における静止画送信子機のブロック構成を示す図
【図３１】本発明の第１２の実施の形態における静止画送信ゲートウェイ（ＧＷ）のブロック構成を示す図
【図３２】本発明の第１２の実施の形態における静止画送信ゲートウェイ（ＧＷ）の制御部の処理フローを示す図
【図３３】従来の宅内モニタリングシステムのブロック構成を示す図
【符号の説明】
１ａ、８ａ、２９ｄ　１台以上の静止画送信子機
１ｂ　宅内ネット
１ｃ、５ａ、８ｃ、１２ａ　静止画送信ゲートウェイ（ＧＷ）
１６ａ、１８ａ、２０ａ、２１ａ　静止画送信ゲートウェイ（ＧＷ）
２３ａ、２６ａ、２９ａ　静止画送信ゲートウェイ（ＧＷ）
１ｄ、８ｂ　在宅／不在モード設定部
１ｅ　常時接続網
１ｆ、１６ｄ、１７ａ　プロバイダーサーバー
１ｇ　ネットワーク
１ｈ　宅外端末
１ｉ、５ｃ、８ｄ、１２ｃ　宅内システム
１６ｃ、１８ｃ、２０ｃ、２１ｃ　宅内システム
２３ｃ、２６ｃ、２９ｃ　宅内システム
２ａ　撮像素子
２ｂ　静止画データ化部
２ｃ、９ａ、３０ｂ　制御部
２ｄ　宅内ネットＩ／Ｆ部
３ａ　宅内ネットＩ／Ｆ部
３ｂ　静止画データ伝送専用線
３ｃ、６ａ、１０ａ　制御部
１３ａ、１９ａ、２２ａ　制御部
２４ａ、２７ａ、３１ａ　制御部
３ｄ　常時接続Ｉ／Ｆ部
４ａ　動作モードチェック処理
４ｂ　動作モード比較処理
４ｃ　指定の静止画への静止画要求処理
４ｄ　指定の静止画送信子機からの静止画の常時接続網への送信処理
５ｂ　静止画送信子機別在宅／不在モード設定部
７ａ　指定の静止画送信子機の動作モードチェック処理
１１ａ　撮像素子の静止画データの宅内ネットへの送信
１２ｂ、１７ｂ　代替え画像蓄積部
１４ａ　代替え画像の常時接続網への送信
１５ａ　代替え画像イメージ
１６ｂ　在宅／不在モードテーブル更新部
１６ｅ　在宅／不在モードテーブル
１８ｂ　在宅者向け動作状態通知部
２０ｂ　電子メール（Ｍａｉｌ）送信部
２１ｂ　個人認証部
２３ｂ　定時間モード切替設定部
２６ｂ　定周期モード切替設定部
２９ｂ　在宅／不在モード画質設定部
３０ａ　画質可変静止画データ化部
３２ａ　不在モードの画質設定チェック処理
３２ｂ　指定の静止画送信子機への不在モード画質での静止画要求処理
３２ｃ　在宅モードの画質設定チェック処理
３２ｄ　指定の静止画送信子機への在宅モード画質での静止画要求処理
３３ａ　１台以上のセンサ端末
３３ｂ　家庭内サーバー
３３ｃ　インターネット網
３３ｄ　インターネットプロバイダーのウェブサーバー
３３ｅ　携帯型情報通信端末
【図１】
2004128801.tif 000003
【図２】
2004128801.tif 000004
【図３】
2004128801.tif 000005
【図４】
2004128801.tif 000006
【図５】
2004128801.tif 000007
【図６】
2004128801.tif 000008
【図７】
2004128801.tif 000009
【図８】
2004128801.tif 000010
【図９】
2004128801.tif 000011
【図１０】
2004128801.tif 000012
【図１１】
2004128801.tif 000013
【図１２】
2004128801.tif 000014
【図１３】
2004128801.tif 000015
【図１４】
2004128801.tif 000016
【図１５】
2004128801.tif 000017
【図１６】
2004128801.tif 000018
【図１７】
2004128801.tif 000019
【図１８】
2004128801.tif 000020
【図１９】
2004128801.tif 000021
【図２０】
2004128801.tif 000022
【図２１】
2004128801.tif 000023
【図２２】
2004128801.tif 000024
【図２３】
2004128801.tif 000025
【図２４】
2004128801.tif 000026
【図２５】
2004128801.tif 000027
【図２６】
2004128801.tif 000028
【図２７】
2004128801.tif 000029
【図２８】
2004128801.tif 000030
【図２９】
2004128801.tif 000031
【図３０】
2004128801.tif 000032
【図３１】
2004128801.tif 000033
【図３２】
2004128801.tif 000034
【図３３】
2004128801.tif 000035